(57)【要約】【課題】  テープ駆動装置およびそのテープ駆動装置を使用する方法を提供する。【解決手段】  テープ駆動装置は、テープ媒体上のサーボ・パターンの遷移ストライプを検知するように構成された少なくとも第１および第２サード読取り素子を含むヘッド・アセンブリを含む。第１サーボ読取り素子は、テープ媒体上の偶数サーボ・バンドの少なくとも２つの遷移ストライプを第１時間に検知するように構成される。サーボ検知ロジックが、テープ媒体上の偶数サーボ・バンドの少なくとも２つの遷移ストライプのタイミングを検知するように構成される。サーボ・コントローラが、テープ媒体上の偶数サーボ・バンドの少なくとも２つの遷移ストライプのタイミングに応答してテープ媒体に関して横方向にヘッド・アセンブリを位置付けるように構成される。第２サーボ読取り素子は、テープ媒体上の奇数サーボ・バンドの少なくとも２つの遷移ストライプを第２時間に検知するように構成される。なお、第２時間は、距離Ｄに対応する第１時間後の時間遅れである。サーボ検知ロジックは、更に、テープ媒体上の奇数サーボ・バンドの少なくとも２つの遷移ストライプのタイミングを検知するように構成される。サーボ・コントローラは、更に、テープ媒体上の奇数サーボ・バンドの少なくとも２つの遷移ストライプのタイミングに応答してテープ媒体に関して横方向にヘッド・アセンブリを位置付けるように構成される。【選択図】  図３
2011511994.tif 000002
【特許請求の範囲】
【請求項１】
磁気テープ媒体上のサーボ・パターンの遷移ストライプを検知するために、少なくとも第１サーボ読取り素子および第２サーボ読取り素子を含む複数個のサーボ読取り素子を含むヘッド・アセンブリであって、前記サーボ・パターンは複数個の縦方向のデータ・バンド間にある複数個の並行した縦方向のサーボ・バンドを含み、前記複数個のサーボ・バンドは奇数サーボ・バンドおよび偶数サーボ・バンドを含み、前記奇数サーボ・バンドの各々は前記偶数サーボ・バンドの各々の間にあり、各サーボ・バンドは複数個のフレームを含み、各フレームは遷移ストライプの複数個のバーストを含み、各バーストは第１遷移ストライプを有し、前記奇数サーボ・バンドの各々の各バーストの第１遷移ストライプは前記奇数サーボ・バンドのサーボ情報が前記偶数サーボ・バンドからのサーボ情報とインターリーブされるように前記偶数サーボ・バンドの各々の各バーストの第１遷移ストライプから実質的に等しい距離Ｄだけ縦方向にシフトされ、前記第１サーボ読取り素子は前記磁気テープ媒体上の前記偶数サーボ・バンドの少なくとも２つの遷移ストライプを第１時間に検知するように構成される、前記ヘッド・アセンブリと、
前記磁気テープ媒体上の前記偶数サーボ・バンドの前記少なくとも２つの遷移ストライプのタイミングを検知するように構成されたサーボ検知ロジックと、
前記磁気テープ媒体上の前記偶数サーボ・バンドの前記少なくとも２つの遷移ストライプの前記タイミングに応答して、前記磁気テープ媒体に関して横方向に前記ヘッド・アセンブリを位置付けるように構成されたサーボ・コントローラと
を含み、
前記第２読取り素子は前記磁気テープ媒体上の前記奇数サーボ・バンドの少なくとも２つの遷移ストライプを第２時間に検知するように構成され、前記第２時間は前記距離Ｄに対応する前記第１時間後の時間遅れであり、前記サーボ検知ロジックは更に前記磁気テープ媒体上の前記奇数サーボ・バンドの前記少なくとも２つの遷移ストライプのタイミングを検知するように構成され、前記サーボ・コントローラは更に前記磁気テープ媒体上の前記奇数サーボ・バンドの前記少なくとも２つの遷移ストライプの前記タイミングに応答して前記磁気テープ媒体に関して横方向に前記ヘッド・アセンブリを位置付けるように構成される、磁気テープ駆動装置。
【請求項２】
前記複数個のサーボ読取り素子は更に前記サーボ・パターンの前記遷移ストライプを検知するように構成され、前記複数個のフレームの各フレームは更に第１方位における遷移ストライプの第１バースト、前記第１方位とは異なる第２方位における遷移ストライプの第２バースト、前記第１方位における遷移ストライプの第３バースト、および前記第２方位における遷移ストライプの第４バーストを含み、前記第１バーストの前記第１遷移ストライプと前記第３バーストの第１遷移ストライプとの間の距離は距離Ｂである、請求項１に記載の磁気テープ駆動装置。
【請求項３】
前記複数個のサーボ読取り素子は前記サーボ・パターンの前記遷移ストライプを検知するように構成され、前記奇数サーボ・バンドの各々の各バーストの前記第１遷移ストライプは前記偶数サーボ・バンドの各々の各バーストの前記第１遷移ストライプから縦方向に前記実質的に等しい距離Ｄだけシフトされ、前記距離Ｄは
０.９Ｂ/Ｘ≦Ｄ≦１.１Ｂ/Ｘ
であり、前記Ｘは前記複数のサーボ読取り素子を構成するサーボ読取り素子の数として定義される、請求項２に記載の磁気テープ駆動装置。
【請求項４】
前記磁気テープ駆動装置は、前記距離Ｄが０.４５Ｂ≦Ｄ≦０.５５Ｂになるように２つのサーボ読取り素子を含む、請求項３に記載の磁気テープ駆動装置。
【請求項５】
前記磁気テープ駆動装置は、前記距離Ｄが０.３０Ｂ≦Ｄ≦０.３７Ｂになるように３つのサーボ読取り素子を含む、請求項３に記載の磁気テープ駆動装置。
【請求項６】
前記距離Ｄは０.４５Ｂ≦Ｄ≦０.５５Ｂである、請求項２に記載の磁気テープ駆動装置。
【請求項７】
前記距離Ｄは０.３０Ｂ≦Ｄ≦０.３７Ｂである、請求項２に記載の磁気テープ駆動装置。
【請求項８】
前記距離Ｄは約０.５０Ｂである、請求項２に記載の磁気テープ駆動装置。
【請求項９】
前記距離Ｄは約０.３３Ｂである、請求項２に記載の磁気テープ駆動装置。
【請求項１０】
前記磁気テープ駆動装置は前記磁気テープ媒体を前記ヘッド・アセンブリに関して縦方向に移動させるように構成された駆動システムを含む、請求項１に記載の磁気テープ駆動装置。
【請求項１１】
前記ヘッド・アセンブリは前記磁気テープ媒体上のデータを読取りおよび前記磁気テープ媒体上にデータを書込むように構成された磁気読取り／書込みテープ・ヘッドを更に含む、請求項１に記載の磁気テープ駆動装置。
【請求項１２】
前記第１サーボ読取り素子および前記第２サーボ読取り素子は横方向に隔てられている、請求項１に記載の磁気テープ駆動装置。
【請求項１３】
前記時間遅れは前記距離Ｄと前記磁気テープ媒体の速度との積である、請求項１に記載の磁気テープ駆動装置。
【請求項１４】
前記複数個の読取り素子は、更に、前記サーボ・パターンの前記遷移ストライプを検知するように構成され、前記フレームは、更に、第１方位における５個の遷移ストライプのグループの第１バースト、前記第１方位とは異なる第２方位における５個の遷移ストライプのグループの第２バースト、前記第１方位における４個の遷移ストライプのグループの第３バースト、および前記第２方位における４個の遷移ストライプのグループの第４バーストを含む、請求項１に記載の磁気テープ駆動装置。
【請求項１５】
前記第２方位は前記第１方位の反対の方位である、請求項２に記載の磁気テープ駆動装置。
【請求項１６】
少なくとも第１サーボ読取り素子および第２サーボ読取り素子を含むヘッド・アセンブリに関して縦方向に磁気テープ媒体を移動させるステップと、
前記磁気テープ上のサーボ・パターンの遷移ストライプを検知するステップであって、前記サーボ・パターンは複数個の縦方向のデータ・バンドの間にある複数個の並行した縦方向のサーボ・バンドを含み、前記サーボ・パターンは複数個の縦方向のデータ・バンド間にある複数個の並行した縦方向のサーボ・バンドを含み、前記複数個のサーボ・バンドは奇数サーボ・バンドおよび偶数サーボ・バンドを含み、前記奇数サーボ・バンドの各々は前記偶数サーボ・バンドの各々の間にあり、各サーボ・バンドは複数個のフレームを含み、各フレームは遷移ストライプの複数個のバーストを含み、各バーストは第１遷移ストライプを有し、前記奇数サーボ・バンドの各々の各バーストの第１遷移ストライプは前記奇数サーボ・バンドのサーボ情報が前記偶数サーボ・バンドからのサーボ情報とインターリーブされるように前記偶数サーボ・バンドの各々の各バーストの第１遷移ストライプから実質的に等しい距離Ｄだけ縦方向にシフトされる、ステップと、
前記第１サーボ読取り素子を用いて前記磁気テープ媒体上の前記偶数サーボ・バンドの少なくとも２つの遷移ストライプを第１時間に検知するステップと
前記磁気テープ媒体上の前記偶数サーボ・バンドの前記少なくとも２つの遷移ストライプのタイミングを検知するステップと、
前記磁気テープ媒体上の前記偶数サーボ・バンドの前記少なくとも２つの遷移ストライプの前記タイミングに応答して、前記磁気テープ媒体に関して横方向に前記ヘッド・アセンブリを位置付けるステップと、
前記磁気テープ媒体上の前記奇数サーボ・バンドの少なくとも２つの遷移ストライプを第２時間に検知するステップであって、前記第２時間は前記距離Ｄに対応する前記第１時間後の時間遅れである、ステップと、
更に前記磁気テープ媒体上の前記奇数サーボ・バンドの前記少なくとも２つの遷移ストライプのタイミングを検知するステップと、
更に前記磁気テープ媒体上の前記奇数サーボ・バンドの前記少なくとも２つの遷移ストライプの前記タイミングに応答して前記磁気テープ媒体に関して横方向に前記ヘッド・アセンブリを位置付けるステップと
を含む、方法。
【請求項１７】
前記サーボ・パターンの前記遷移ストライプを検知するステップを更に含み、前記複数個のフレームの各フレームは更に第１方位における遷移ストライプの第１バースト、前記第１方位とは異なる第２方位における遷移ストライプの第２バースト、前記第１方位における遷移ストライプの第３バースト、および前記第２方位における遷移ストライプの第４バーストを含み、前記第１バーストの前記第１遷移ストライプと前記第３バーストの第１遷移ストライプとの間の距離は距離Ｂである、請求項１６に記載の方法。
【請求項１８】
前記サーボ・パターンの前記遷移ストライプを検知するステップであって、前記奇数サーボ・バンドの各々の各バーストの前記第１遷移ストライプは前記偶数サーボ・バンドの各々の各バーストの前記第１遷移ストライプから縦方向に前記実質的に等しい距離Ｄだけシフトされ、前記距離Ｄは
０.９Ｂ/Ｘ≦Ｄ≦１.１Ｂ/Ｘ
であり、前記Ｘは前記複数のサーボ読取り素子を構成するサーボ読取り素子の数として定義される、請求項１７に記載の方法。
【請求項１９】
前記距離Ｄは０.４５Ｂ≦Ｄ≦０.５５Ｂである、請求項１７に記載の方法。
【請求項２０】
前記距離Ｄは０.３０Ｂ≦Ｄ≦０.３７Ｂである、請求項１７に記載の方法。
【請求項２１】
前記距離Ｄは約０.５０Ｂである、請求項１７に記載の方法。
【請求項２２】
前記距離Ｄは約０.３３Ｂである、請求項１７に記載の方法。
【請求項２３】
前記時間遅れは前記距離Ｄと前記磁気テープ媒体の速度との積である、請求項１６に記載の方法。
【請求項２４】
前記サーボ・パターンの前記遷移ストライプを検知するステップを更に含み、前記フレームは第１方位における５個の遷移ストライプのグループの第１バースト、前記第１方位とは異なる第２方位における５個の遷移ストライプのグループの第２バースト、前記第１方位における４個の遷移ストライプのグループの第３バースト、および前記第２方位における４個の遷移ストライプのグループの第４バーストを更に含む、請求項１６に記載の方法。
【請求項２５】
前記第２方位は前記第１方位の反対の方位である、請求項１７に記載の方法。
【発明の詳細な説明】
【技術分野】
【０００１】
本発明は、磁気テープのためのサーボに関し、特に、磁気テープの縦方向（即ち、長さ方向）に拡張したタイミング・ベースのサーボ・バンドを有するその磁気テープのためのサーボに関する。
【背景技術】
【０００２】
磁気テープは、アーカイブに保管されるデータ、または、自動データ記憶ライブラリの記憶棚に格納され、要求された時にアクセスされるデータを物理的に格納するための手段を提供する。磁気記録テープ上にバンドとしてデータを読取り及び／又は書込むことは、磁気ヘッドの正確な位置付けを必要とする。磁気ヘッドは、磁気テープがその磁気ヘッドを通り越して縦方向に移動するとき、特定の縦方向のデータ・バンドまで移動し、そのデータ・バンド上に中央揃えされて維持される。磁気ヘッドは、縦方向のデータ・バンドに関して横方向にバンド間を平行移動させられる。
【０００３】
サーボ・システムは、磁気ヘッドを所望のデータ・バンドの中心まで移動させて磁気ヘッドをその中心に位置付けするように、および所望のデータ・バンドの中心を追従するように使用される。データ・バンドは、所与のテープのデータ・バンド密度を増加させるために、および、それにより所与のテープのデータ容量を増加させるために、益々小さく且つ近接するようになりつつある。従って、データ・バンドのグループによって隔てられた、縦方向の定義されたサーボ・バンドをテープの幅全体にわたる様々な位置に設けることが望ましくなっている。これは、サーボ・バンドがデータ・バンドに近接することを可能にし、テープの伸張等によるオフセット（相対位置の変化）を制限する。これは、サーボ・バンドとデータ・バンドの間の関係がより高い精度のものになるため、より多くのバンドを使用することを可能にする。
【発明の概要】
【発明が解決しようとする課題】
【０００４】
本発明の目的は、磁気テープ駆動装置およびその磁気テープ駆動装置を使用する方法を提供することにある。
【課題を解決するための手段】
【０００５】
磁気テープ駆動装置は、磁気テープ媒体上のサーボ・パターンの遷移ストライプを検知するように構成された少なくとも第１および第２サード読取り素子を含む複数個のサーボ読取り素子を有するヘッド・アセンブリを含む。サーボ・パターンは、複数個の縦方向のデータ・バンド間にある複数個の並行した縦方向のサーボ・バンドを含む。複数個のサーボ・バンドは、奇数サーボ・バンドおよび偶数サーボ・バンドを含み、奇数サーボ・バンドの各々は、偶数のサーボ・バンドの各々の間にある。各サーボ・バンドは、複数個のフレームを含み、各フレームは複数個の遷移ストライプのバーストを含む。各バーストは第１遷移ストライプを有する。各奇数サーボ・バンドの各バーストの第１遷移ストライプは、奇数サーボ・バンドのサーボ情報が偶数サーボ・バンドからのサーボ情報とインターリーブされるように、各偶数サーボ・バンドの各バーストの第１遷移ストライプから実質的に等しい距離Ｄだけ縦方向にシフトしている。
【０００６】
テープ駆動装置の第１サーボ読取り素子は、磁気テープ媒体上の偶数サーボ・バンドの少なくとも２つの遷移ストライプを第１時間に検知するように構成される。サーボ検知ロジックが、磁気テープ媒体上の偶数サーボ・バンドの少なくとも２つの遷移ストライプのタイミングを検知するように構成される。サーボ・コントローラが、磁気テープ媒体上の偶数サーボ・バンドの少なくとも２つの遷移ストライプのタイミングに応答して磁気テープ媒体に関して横方向にヘッド・アセンブリを位置付けるように構成される。
【０００７】
第２サーボ読取り素子は、磁気テープ媒体上の奇数サーボ・バンドの少なくとも２つの遷移ストライプを第２時間に検知するように構成される。なお、第２時間は、距離Ｄに対応する第１時間後の時間遅れである。サーボ検知ロジックは、更に、磁気テープ媒体上の奇数サーボ・バンドの少なくとも２つの遷移ストライプのタイミングを検知するように構成される。サーボ・コントローラは、更に、磁気テープ媒体上の奇数サーボ・バンドの少なくとも２つの遷移ストライプのタイミングに応答して磁気テープ媒体に関して横方向にヘッド・アセンブリを位置付けるように構成される。
【０００８】
１つの実施例では、複数個の読取り素子、更に、サーボ・パターンの遷移ストライプを検知するように構成される。複数個のフレームの各フレームは、第１方位における遷移ストライプの第１バースト、第１方位とは異なる第２方位における遷移ストライプの第２バースト、第１方位における遷移ストライプの第３バースト、および第２方位における遷移ストライプの第４バーストを含む。第１バーストの第１遷移ストライプと第３バーストの第１遷移ストライプとの間の距離は距離Ｂである。
【０００９】
１つの実施例では、複数個のサーボ読取り素子は、サーボ・パターンの遷移ストライプを検知するように構成される。各奇数サーボ・バンドの各バーストの第１遷移ストライプは、各偶数サーボ・バンドの各バーストの第１遷移ストライプから縦方向に実質的に等しい距離Ｄだけシフトされている。距離Ｄは
０.９Ｂ/Ｘ≦Ｄ≦１.１Ｂ/Ｘ
である。但し、Ｘは、その複数個のサーボ読取り素子を構成するサーボ読取り素子の数として定義される。
【００１０】
従って、１つの実施例では、テープ駆動装置は、距離Ｄが０.４５Ｂ≦Ｄ≦０.５５Ｂになるように２つのサーボ読取り素子を有する。別の実施例では、テープ駆動装置は、距離Ｄが０.３０Ｂ≦Ｄ≦０.３７Ｂになるように３つのサーボ読取り素子を有する。
【００１１】
１つの実施例では、時間遅れは、距離Ｄと磁気テープ媒体の速度との積である。
【００１２】
１つの実施例では、テープ駆動装置は、磁気テープ媒体上のデータを読取りおよび書込みするように構成された磁気読取り／書込みテープ・ヘッドを含む。１つの実施例では、第１および第２サーボ読取り素子が横方向に間隔をあけて置かれる。更に、サーボ・パターンの遷移ストライプを検知するように、複数個の読取り素子が構成される。そのパターンでは、フレームが、第１方位における５個の遷移ストライプのグループの第１バーストおよび第１方位とは異なる第２方位における５個の遷移のグループの第２バーストを含み、それに続いて、第１方位における４個の遷移ストライプのグループの第３バーストおよび第２方位における４個の遷移ストライプのグループの第４バーストを含む。１つの実施例では、第２の方位は第１方位の反対である。
【図面の簡単な説明】
【００１３】
【図１】タイミング・ベースのサーボ・トラックを有する磁気テープ、並びに複数個のサーボ読取り素子を有する磁気テープ駆動装置の磁気ヘッドおよびサーボ・システムの概略図である。
【図２】タイミング・ベースのサーボ・トラックを有する磁気テープ、並びに「Ａ」および「Ｂ」の信号インターバルの表示を含んだ複数個のサーボ読取り素子を有する磁気テープ駆動装置の磁気ヘッドおよびサーボ・システムの単純化した概略図である。
【図３】本発明の実施例である、タイミング・ベースのサーボ・トラックを有する磁気テープ、並びに複数個のサーボ読取り素子を有する磁気テープ駆動装置の磁気ヘッドおよびサーボ・システムの概略図である。
【図４】本発明の実施例である、タイミング・ベースのサーボ・トラックを有する磁気テープ、並びに「Ａ」および「Ｂ」の信号インターバルの表示を含んだ複数個のサーボ読取り素子を有する磁気テープ駆動装置の磁気ヘッドおよびサーボ・システムの単純化した概略図である。
【図５】本発明による磁気テープ駆動装置の概略図である。
【図６】本発明による磁気テープ駆動装置の概略的ブロック図である。
【発明を実施するための形態】
【００１４】
以下は、本発明の実施例に関する詳細な説明を提供することを意図し、本発明自体を限定するものと解されるべきではない。むしろ、如何なる数値の変更も、「特許請求の範囲」において定義された発明の技術的範囲内にあるであろう。
【００１５】
図１を参照すると、磁気テープ２０のような磁気テープ上のタイミング・ベースのサーボ・パターンが開示される。この磁気テープには、縦方向（長さ方向）のデータ・トラック２９のグループ（例えば、データ・トラック２９ａ、２９ｂ、２９ｃ、２９ｄ、および２９ｅ）の間に、事前記録された磁気的並行の縦方向サーボ・バンド２７（例えば、サーボ・バンド２７ａ、２７ｂ、２７ｃ、２７ｄ、および２７ｅ）が存在する。更に、磁気テープ２０は、そのテープの端部に保護バンド４８および４９が設けられる。なお、縦方向は、磁気テープ２０の長さに沿った方向（長さ方向）として定義される。横方向は、磁気テープ２０の幅に沿った方向として定義され、縦方向に垂直である。「バンド」および「トラック」という用語は、本明細書では交換可能に使用される。
【００１６】
図１の特定の例では、５個の縦方向のタイミング・ベースの定義されたサーボ・バンドが、これらの位置におけるトラック追従のために磁気テープ２０上に事前記録される。その定義されたサーボ・バンドに記録された磁気遷移のパターンはフレームの反復セットであり、そのフレームの各々は異なる方位のものである。例えば、そのパターンは傾斜した遷移、即ち、線形のサーボ・トラックの縦方向に関して第１方向の方位を有する遷移を、例えば、反対方向における異なる傾斜を有する遷移と交互になるように含む。同じ方位を有し且つギャップまたはスペースによって隔てられた遷移のグループが、「サーボ・バースト」または単に「バースト」（例えば、バースト４０、４１、４２、および４３）と呼ばれる。各サーボ・バーストは、１つのバースト当たり所定数の遷移ストライプを含み、それはエラー検出および訂正において使用することができる。
【００１７】
ヘッド・アセンブリ２４は、縦方向のデータ・トラック２９のセットに関して磁気テープ上にデータを読取りおよび／または書込むように構成された複数個の読取り／または書込み素子２８を含む。図１の例では、ヘッド・アセンブリ２４は、２つのバンドが同時に感知されることを可能にする少なくとも２つの狭いサーボ読取り素子２５，２６を含む。その結果生じる両方のサーボ・バンドからの出力は、エラー率を減らすために平均化されるかまたは冗長的に使用される。サーボ読取り素子２５，２６がその定義されたサーボ・バンド２７に適切に位置付けられるとき、読取りおよび書込み素子２８が、磁気テープ２０のデータ・トラック・ロケーションに関してデータを転送するために適正に位置付けられる。
【００１８】
黒い斜めのストライプがサーボ・トラック２７の幅にわたって拡張した記録された磁束の磁化領域を表わすということ、およびストライプの端部がサーボ読取り信号を発生するために検知される磁束遷移を含むということは、当業者には明らかであろう。その遷移はストライプの各端部において２つの磁極を有する。サーボ読取り素子が、例えば、図２のサーボ・トラック中心線５０に沿ってサーボ・トラック２７の遷移と交差する場合、それは、遷移の極性によって決定される極性を有するアナログ信号パルスを生じる。例えば、サーボ読取り素子は、各ストライプの先端に（ストライプに遭遇した際に遷移に遭遇して）正のパルスを生じ、後端に（ストライプを離れた際に遷移に遭遇して）負のパルスを生じ得る。エラーの機会を減らすために、サーボ・システムは、同じ極性を有する磁束遷移間のインターバルだけを計時する。例えば、ストライプの先端を横切って移動する際のサーボ読取り素子によって生成された遷移パルスだけが使用され、ストライプの後端を横切って移動することにより生成された遷移パルスは無視される。従って、本明細書では、「遷移」という用語は、ストライプの端部または同等物を指し、その結果同じ極性を有する信号の発生する。
【００１９】
タイミング・ベースのサーボ・トラックに関するサーボ読取り素子の横方向の位置付けは、「Ｂ」距離を呼ばれる並行した傾きを持つ２つの遷移間の時間に比べて、「Ａ」距離と呼ばれる異なる傾きを持つ２つの遷移間の時間の測定に基づいて感知される。例えば、図１を参照すると、「Ａ」距離は、バースト４０の第１遷移ストライプとバースト４１の第１遷移ストライプとの間の時間に基づいて測定される。更に、１つの例では、「Ｂ」距離は、バースト４０の第１遷移ストライプとバースト４２の第１遷移ストライプの間の時間に基づいて測定される。上記の例では、「Ａ」距離および「Ｂ」距離を決定するために、各バーストの第１遷移ストライプが使用されるが、それぞれのバーストのいずれの遷移ストライプを利用してもよいということは当業者には明らかであろう。例えば、「Ａ」距離および「Ｂ」距離は、１つのバーストの第２遷移ストライプと別のバーストの第２遷移ストライプとの比較に基づいて決定され得る。本明細書では、第１遷移ストライプは、サーボ読取り素子２５、２６が読取り方向において到達する最初の遷移ストライプとして定義される。
【００２０】
更に詳しく云えば、定義されたサーボ・バンド内の横方向位置の感知は、これらの２つのサーボ・パターン・インターバルの比率を導出することにより得られる。特に、横方向位置は、
（１）「Ａ」距離と呼ばれるバースト４０および４１の遷移間の距離と、
（２）「Ｂ」距離と呼ばれるバースト４０および４２の遷移間の距離と
の比率であってもよい。それら距離は、等速で遷移間を計時することによって測定される。従って、テープ・ヘッドのサーボ読取り素子２５および２６がテープ２０の下端に向けて移動するとき、バースト４０および４１の「Ａ」遷移間の距離は大きいが、バースト４０および４２の「Ｂ」遷移間の距離は変わらないので、バースト４０および４１の遷移間の時間とバースト４０および４２の遷移間の時間との比率は大きくなる。
【００２１】
サーボ・トラック２７は、一般に、同時にパルス供給される、２つの隔てられた「Ａ」距離を形成する異なる傾きの書込み素子を有するサーボ・ライタによって、生成されるということに留意することが重要である。従って、「Ａ」の幾何学的な距離はフォトリソグラフ的に決定され、従って、サーボ・ライタ・ドライブのタイミングまたは速度と無関係である。
【００２２】
サーボ・トラック２７ａおよび２７ｂがそれぞれサーボ読取り素子２５および２６を横切って移動するように、テープはヘッド・アセンブリ２４を横切って縦方向に移動する。そのような移動が生じるとき、磁束遷移のサーボ・パターンが、各サーボ読取り素子２５および２６に対して１つずつの２個のアナログ・サーボ読取り信号を発生するように、そのサーボ・パターンが検知される。各サーボ読取り素子２５および２６に対するアナログ・サーボ読取り素子信号が、サーボ信号線８４および９０を介して、それぞれ、信号デコーダ８６および９２に供給される。しかる後、それぞれの信号デコーダが、サーボ読取り素子信号を処理し、位置信号線８８および９４を介してサーボ・コントローラ８０に送られる位置信号を発生する。サーボ・コントローラ８０はサーボ制御信号を発生し、制御線８２を介してヘッド・アセンブリ２４におけるサーボ位置付け機構にそれを供給する。サーボ位置付け機構は、サーボ・コントローラ８０からの制御信号に応答して、サーボ読取り素子２５および２６を含むアセンブリを所望のサーボ・トラックに到達するように、またはサーボ・トラック中心線５０に関してサーボ読取り素子２５および２６を維持するように、サーボ読取り素子２５および２６をサーボ・トラック中心線５０に関して横方向に移動させる。
【００２３】
サーボ・システム８０のサーボ検知ロジックは、横方向に拡張した遷移の相対的なタイミングを、線８２を介して供給された信号から検知するように構成される。詳しく云えば、その横方向に拡張した遷移は、磁気テープ２０が縦方向に移動するとき、複数個の横方向に隔てられたサーボ読取り素子２５および２６によって感知される、異なる傾きを有する遷移を含む。サーボ検知ロジックは、感知された遷移の相対的なタイミングから、異なる傾きを有する横方向に拡張した遷移の少なくとも１つの既知のセットに対して、「Ａ」距離、並びに、複数個のサーボ読取り素子２５および２６と磁気テープとの間の関係に関する情報、を決定するように構成される。
【００２４】
図２は、磁気テープ２０のような磁気テープ上のタイミング・ベースのサーボ・パターンの簡易バージョンを示す。図２では、図を単純にするために、各バーストが単一の線として示される。１つの実施例では、単一の線は、各バーストの第１遷移ストライプを表わしてもよい。
【００２５】
図１に関する説明と同様に、ヘッド・アセンブリ２４は少なくとも２つの狭いサーボ読取り素子２５、２６を含み、２つのサーボ・バンド（例えば、２７ａおよび２７ｂ）が同時に感知されることを可能にする。上述のように、サーボ読取り素子（例えば、サーボ読取り素子２５および／または２６）が、例えば、サーボ・トラック中心線５０に沿ってサーボ・トラック２７の遷移と交差する時、それは、遷移の極性によって決定される極性を有するアナログ信号パルスを生成する。
【００２６】
図２に示された例では、第１方位を有する遷移ストライプＬ２が、第２方位を有する遷移ストライプＬ３から距離Ａだけ隔てられている。１つの例では、距離Ａは５０μｍであってもよい。第２方位を有する遷移ストライプＬ１は、同じく第２方位を有する遷移ストライプＬ３から距離Ｂだけ隔てられている。１つの例では、距離Ｂは１００μｍ（「Ｂ」距離）であってもよい。
【００２７】
図２に示されるように、従来技術では、１つのサーボ・バンド（例えば、サーボ・バンド２７ａ）内の遷移ストライプの各バーストが、すべてのサーボ・バンド（例えば、サーボ・バンド２７ｂ、２７ｃ、２７ｄ、２７ｅ）の遷移ストライプの各バーストと縦方向に揃っている。例えば、サーボ・バンド２７ａの遷移ストライプＬ１によって表わされたバーストは、サーボ・バンド２７ｂの遷移ストライプＭ１によって表わされたバーストとｘ１に沿って縦方向に揃っている。同様に、遷移ストライプＬ２およびＬ３によって表わされたバーストは、それぞれ、遷移ストライプＭ２およびＭ３によって表わされるバーストと縦方向に揃っている。
【００２８】
サーボ読取り素子２５（図１に示された）は、それがサーボ・トラック中心線５０に沿ってサーボ・バンド２７ａの第１方位の遷移ストライプ（例えば、遷移ストライプＬ２）と交差するときに信号を検知すること、および、その後、それがサーボ・バンド２７ａの第２方位の隣接した遷移ストライプ（例えば、遷移ストライプＬ３）と交差するときに信号を検知することによって、サーボ・バンド２７ａに沿った「Ａ」距離を測定する。同様に、サーボ読取り素子２６は、それがサーボ・トラック中心線５０に沿ってサーボ・バンド２７ｂの第１方位の遷移ストライプ（例えば、遷移ストライプＭ２）と交差するときに信号を検知すること、および、その後、それがサーボ・バンド２７ｂの第２方位の隣接した遷移ストライプ（例えば、遷移ストライプＭ３）と交差するときに信号を検知することによって、サーボ・バンド２７ｂに沿った「Ａ」距離を測定する。遷移ストライプＬ３およびＭ３はｘ２において磁気テープ２０の長さに沿って縦方向に揃っているので、サーボ読取り素子２５は、サーボ読取り素子２６が距離「Ａ」に関する情報を出力するのと同時に距離「Ａ」に関するサーボ情報を出力する。従って、奇数サーボ・バンドに関するサーボ読取り素子２６から得られたサーボ情報は、偶数サーボ・バンドに関するサーボ読取り素子２５から得られたサーボ情報と同時に供給される。
【００２９】
更に、図２に示されるように、サーボ読取り素子２５は、それがサーボ・トラック中心線５０に沿ってサーボ・バンド２７ａの第２方位の遷移ストライプ（例えば、遷移ストライプＬ１）と交差するときに信号を検知すること、および、その後、それがサーボ・バンド２７ａの第２方位の隣接した遷移ストライプ（例えば、遷移ストライプＬ３）と交差するときに信号を検知することによって、サーボ・バンド２７ａに沿った「Ｂ」距離を測定する。同様に、サーボ読取り素子２６は、それがサーボ・トラック中心線５０に沿ってサーボ・バンド２７ｂの第２方位の遷移ストライプ（例えば、遷移ストライプＭ１）と交差するときに信号を検知すること、および、その後、それがサーボ・バンド２７ｂの第１方位の隣接した遷移ストライプ（例えば、遷移ストライプＭ３）と交差するときに信号を検知することによって、サーボ・バンド２７ｂに沿った「Ｂ」距離を測定する。再び、遷移ストライプＬ３およびＭ３は、ｘ２において磁気テープ２０の長さに沿って縦方向に揃っているので、サーボ読取り素子２５は、サーボ読取り素子２６が距離「Ｂ」に関する情報を出力すると同時に、距離「Ｂ」に関するサーボ情報を出力する。従って、奇数サーボ・バンドに関するサーボ読取り素子２６から得られたサーボ情報が、偶数サーボ・バンドに関するサーボ読取り素子２５から得られたサーボ情報と同時に供給される。
【００３０】
サーボ読取り素子信号のサンプル率Ｆｓは、サーボ・パターンの長さおよびテープ速度によって決定される。サンプル率Ｆｓは、次のように表わされる。
Ｆｓ＝速度／距離
この場合、速度は磁気テープの速度であり、距離はサーボ・パターンの２つの遷移線間の距離である。
【００３１】
例えば、２Ｍ／秒のテープ速度、５０μｍの距離「Ａ」、および１００μｍの距離「Ｂ」を仮定すると、サーボ読取り素子２５および２６は毎秒２０,０００サンプルの率でサーボ情報を出力するであろう。
【００３２】
適切なサーボ制御に必要なサンプル率は、トラック追従サーボ・ループの要素の残りによって決定される。高帯域トラック追従を支援するために、サーボ制御システムは高サンプリング率のサーボ・フィードバック信号を必要とする。高サンプリング率は、サーボ読取り素子位置に関する最新の正確な情報を提供し、従って、より高いサーボ帯域幅および一層良好に制御されたサーボ・システムを支援する。磁気テープ２０速度は遅いデータ転送ホスト・システムに適合する（スピード・マッチングと呼ばれる）ために遅いので、サンプリング率は遅くなり、その結果、サンプリング率が遅すぎて高帯域トラック追従システムを維持することができなくなる。
【００３３】
従って、より高いサーボ・サンプリング率が実現されるように高い縦方向密度のサーボ情報を用いてサーボ・パターンを検知するように構成される方法およびシステムが必要になる。その高いサンプリング率は、サーボ読取り素子に関する最新の正確な情報を提供し、従って、向上した制御技術を備えた高いサーボ帯域幅システムを保証する。
【００３４】
図３は、磁気テープ３２０のような磁気テープ上の本発明によるタイミング・ベースのサーボ・パターンを示す。その磁気テープには、事前記録された磁気的並行の縦方向サーボ・トラック３２７ａ、３２７ｂ、３２７ｃ、３２７ｄ、および３２７ｅ（本明細書ではサーボ・トラック３２７とも呼ばれる）が縦方向のデータ・トラック３２９ａ、３２９ｂ、３２９ｃ、３２９ｄ、および３２９ｅ（本明細書ではデータ・トラック３２９とも呼ばれる）グループの間に存在する。更に、事前記録された磁気的並行のサーボ・トラックまたはバンドは奇数サーボ・バンドおよび偶数サーボ・バンドを含む。奇数サーボ・バンドは各偶数のサーボ・バンドの間に存在する。例えば、サーボ・バンド３２７ａ、３２７ｃおよび３２７ｅは偶数サーボ・バンドとして定義され、サーボ・バンド３２７ｂおよび３２７ｄは奇数サーボ・バンドとして定義される。
【００３５】
磁気テープ３２０は、テープの端部に保護バンド３４８および３４９を設けられる。縦方向は、磁気テープ３２０の長さに沿った方向として定義される。横方向は、磁気テープ３２０の幅に沿った方向として定義され、縦方向に垂直である。
【００３６】
図３の例では、５つの縦方向のタイミング・ベースの定義されたサーボ・バンド３２７がトラック追従のために磁気テープ３２０上のこれらの位置に事前記録される。その定義されたサーボ・バンドに記録された磁気遷移のパターンは、構造３３８の反復したセットであり、その各々は異なる方位のものである。例えば、そのパターンは、傾いた遷移、即ち、線形のサーボ・トラックの縦方向に関して第１方位を有し、例えば、反対方向における異なる傾きを有する遷移と交互になった遷移を含む。同じ方位を有し、ギャップによって分離された、即ち、隔てられた遷移のグループは、「サーボ・バースト」または単に「バースト」（例えば、バースト３４０、３４１、３４２、および３４３）と呼ばれる。各サーボ・バーストは、１つのバースト当たり所定数の遷移ストライプを含み、それらのストライプはエラー検出および訂正において使用することができる。図３に示されるように、本実施例は、第１方位における５個のストライプのグループの第１バースト、および第１方位とは異なる第２方位における５個の遷移ストライプのグループの第２バーストを含み、第１方位における４個の遷移ストライプのグループの第３バースト、および第２方位における４個の遷移ストライプのグループの第４バーストがそれに続く。
【００３７】
ヘッド・アセンブリ３２４は、縦方向のデータ・トラック３２９のセットに関して磁気テープ上のデータを読取りおよび／または書込むように構成された複数の読取り／書込み素子３２８を含む。サーボ読取り素子３２５がその定義されたサーボ・バンド３２７に適切に位置付けられるときには、読取り／書込み素子３２８が、磁気テープ３２０のデータ・トラック・ロケーションに関してデータを転送するために適切に位置付けられる。
【００３８】
タイミング・ベースのサーボ・トラックに関するサーボ読取り素子の横方向位置付けは、「Ｂ」距離と呼ばれる並行した傾きを持つ２つの遷移の間の時間に比べて、「Ａ」距離と呼ばれる異なる傾きを持つ２つの遷移の間の時間の測定に基づいて感知される。例えば、図３を参照すると、「Ａ」距離は、バースト３４０の第１遷移ストライプとバースト３４１の第１遷移ストライプとの間の時間に基づいて測定され得る。更に、１つの例では、「Ｂ」距離は、バースト３４０の第１遷移ストライプとバースト３４２の第１遷移ストライプとの間の時間に基づいて測定される。上記の例では、各バーストの第１遷移ストライプが「Ａ」および「Ｂ」距離を決定するために使用されるが、それぞれのバーストのいずれの遷移ストライプを利用することも可能であるということは当業者には明らかであろう。例えば、「Ａ」および「Ｂ」距離は、或るバーストの第２の遷移ストライプと別のバーストの第２遷移ストライプとの比較に基づいて決定することも可能である。
【００３９】
更に一般的には、定義されたサーボ・バンドにおける横方向位置の感知は、これら２つのサーボ・パターン・インターバルの比率を取り出すことによって得られる。詳しくいえば、横方向位置は、
（１）「Ａ」距離と呼ばれるバースト３４０および３４１の遷移間の距離と
（２）「Ｂ」距離と呼ばれるバースト３４０および３４２の遷移間の距離と
の比である。これらの距離は、一定の速度で遷移間を計時することによって測定される。従って、テープ・ヘッドのサーボ読取り素子３２５および３２６が磁気テープ３２０の下端に向けて移動するとき、バースト３４０および３４１の「Ａ」遷移間の距離が大きくなるが、バースト３４０および３４２の「Ｂ」遷移間の距離は変わらないままなので、バースト３４０および３４１の遷移間の時間と、バースト３４０および３４２の遷移間の時間との比が大きくなる。
【００４０】
図３に示されるように、奇数サーボ・バンド（例えば、サーボ・バンド３２７ｂおよび３２７ｄ）のサーボ情報が偶数サーボ・バンド（例えば、サーボ・バンド３２７ａ、３２７ｃ、および３２７ｅ）からのサーボ情報とインターリーブされるように、その奇数サーボ・バンドにおける遷移ストライプの各バーストが縦方向にシフトされ、即ち、その偶数サーボ・バンドの遷移ストライプの各バーストからオフセットされる。
【００４１】
図４は、磁気テープ３２０のような磁気テープのタイミング・ベースのサーボ・パターンを簡略化したものを示す。図を簡略化するために、図４では、各バーストは単一の線として示される。１つの実施例では、その単一の線は、各バーストの第１遷移ストライプを表わし得る。
【００４２】
図３に関連して説明したものと同様に、ヘッド・アセンブリ３２４は、少なくとも２つの狭いサーボ読取り素子３２５、３２６を含み、２つのサーボ・バンド（例えば、サーボ・バンド３２７ａおよび３２７ｂ）が同時に感知されることを可能にする。上述したように、サーボ読取り素子（例えば、サーボ読取り素子３２５および／または３２６）が、例えば、サーボ・トラック中心線３５０に沿ってサーボ・トラック３２７の遷移と交差するとき、その遷移の極性によって決定される極性を有するアナログ信号パルスを発生する。
【００４３】
図４に示された例では、第１方位を有する遷移ストライプＬ２が、第２方位有する遷移ストライプＬ３から距離「Ａ」だけ隔てられる。１つの例では、距離「Ａ」は５０μｍであってもよい。第２方位を有する遷移ストライプＬ１は、同様に第２方位を有する遷移ストライプＬ３から距離「Ｂ」だけ隔てられる。１つの例では、距離「Ｂ」は１００μｍであってもよい。
【００４４】
図４に示されるように、奇数サーボ・バンド（例えば、サーボ・バンド３２７ｂおよび３２７ｄ）内の遷移ストライプの各バーストは、偶数サーボ・バンド（例えば、サーボ・バンド３２７ａ、３２７ｃ、および３２７ｅ）の遷移ストライプの各バーストから縦方向にシフト、即ち、隔てられている。例えば、サーボ・バンド３２７ｂの遷移ストライプＭ１によって表わされたバーストは、サーボ・バンド３２７ａの遷移ストライプＬ１によって表わされたバーストから縦方向に距離「Ｄ」だけシフトされている。同様に、遷移ストライプＬ２およびＬ３によって表わされたバーストは、それぞれ、遷移ストライプＭ２およびＭ３によって表わされたバーストから縦方向に距離「Ｄ」だけシフトされている。ラベルを付されてないが、サーボ・バンド３２７ｃおよび３２７ｅがＬ１、Ｌ２およびＬ３を含むということは当業者には明らかであろう。図４に示されるように、サーボ・バンド３２７ｃおよび３２７ｅの遷移Ｌ１、Ｌ２、およびＬ３は、それぞれ、サーボ・バンド３２７ａのＬ１、Ｌ２、およびＬ３と揃っている。同様に、サーボ・バンド３２７ｄはＭ１、Ｍ２、およびＭ３を含む。図４に示されるように、サーボ・バンド３２７ｄの遷移Ｍ１、Ｍ２、およびＭ３は、それぞれ、サーボ・バンド３２７ｂのＭ１、Ｍ２、およびＭ３と揃っている。
【００４５】
サーボ読取り素子３２５は、それがサーボ・トラック中心線３５０に沿ってサーボ・バンド３２７ａの第１方位の遷移ストライプ（例えば、遷移ストライプＬ２）と交差するときに信号を検知すること、および、その後、それがサーボ・バンド３２７ａの第２方位の隣接した遷移ストライプ（例えば、遷移ストライプＬ３）と交差するときに信号を検知することによって、サーボ・バンド３２７ａに沿った「Ａ」距離を測定する。同様に、サーボ読取り素子３２６は、それがサーボ・トラック中心線３５０に沿ってサーボ・バンド３２７ｂの第１方位の遷移ストライプ（例えば、遷移ストライプＭ２）と交差するときに信号を検知すること、および、その後、それがサーボ・バンド３２７ｂの第２方位の隣接した遷移ストライプ（例えば、遷移ストライプＭ３）と交差するときに信号を検知することによって、サーボ・バンド３２７ｂに沿った「Ａ」距離を測定する。遷移ストライプＬ３およびＭ３は相互に距離「Ｄ」だけ縦方向にシフトされているので、奇数サーボ・バンドのサーボ情報が偶数のサーボ・バンドからのサーボ情報とインターリーブされるように、サーボ読取り素子３２６が距離「Ａ」に関する情報を出力する時とは異なる時間に、サーボ読取り素子３２５が距離「Ａ」に関するサーボ情報を出力する。従って、奇数サーボ・バンドに関するサーボ素子３２６から得られたサーボ情報は、偶数サーボ・バンドに関するサーボ素子３２５から得られたサーボ情報と同時には提供されない。
【００４６】
更に、図４に示されるように、サーボ読取り素子３２５は、それがサーボ・トラック中心線３５０に沿ってサーボ・バンド３２７ａの第２方位の遷移ストライプ（例えば、遷移ストライプＬ１）と交差するときに信号を検知すること、および、しかる後、それがサーボ・バンド３２７ａの第２方位の隣接した遷移ストライプ（例えば、遷移ストライプＬ３）と交差するときに信号を検知することによって、サーボ・バンド３２７ａに沿った「Ｂ」距離を測定する。同様に、サーボ読取り素子３２６は、それがサーボ・トラック中心線３５０に沿ってサーボ・バンド３２７ｂの第２方位の遷移ストライプ（例えば、遷移ストライプＭ１）と交差するときに信号を検知すること、および、しかる後、それがサーボ・バンド３２７ｂの第２方位の隣接した遷移ストライプ（例えば、遷移ストライプＭ３）と交差するときに信号を検知することによって、サーボ・バンド３２７ｂに沿った「Ｂ」距離を測定する。再び、遷移ストライプＬ３およびＭ３は距離「Ｄ」だけ縦方向にシフトされているので、サーボ読取り素子３２６が距離「Ｂ」に関する情報を出力する時とは異なる時間に、サーボ読取り素子３２５が距離「Ｂ」に関するサーボ情報を出力する。従って、奇数サーボ・バンドに関するサーボ素子３２６から得られたサーボ情報は、偶数サーボ・バンドに関するサーボ素子３２５から得られたサーボ情報と同時には提供されない。
【００４７】
距離「Ｄ」は次の式（１）によって表わすことができる。この場合、Ｘは、磁気テープ駆動装置の横方向に隔てられたサーボ読取り素子の数である。
[１/Ｘ−０.１(１/Ｘ)]Ｂ≦Ｄ≦[１/Ｘ＋０.１(１/Ｘ)]Ｂ        （式１）
但し、Ｘは、磁気テープ３２０を読取るように、および／または書込むように構成された磁気テープ駆動装置の横方向に隔てられたサーボ読取り素子の数である。式（１）は、次の（式２）のように簡略化され得る。
０.９Ｂ/Ｘ≦Ｄ≦１.１Ｂ/Ｘ                                  （式２）
【００４８】
１つの実施例では、テープ３２０は、２つの横方向に隔てられたサーボ読取り素子３２５および３２６を有する磁気テープ駆動装置において利用されるべきものである。この実施例では、各奇数サーボ・バンドの各バーストの第１遷移ストライプが、各偶数サーボ・バンドの各バーストの第１遷移ストライプから実質的に等しい距離「Ｄ」だけ縦方向にシフトされている。この場合、Ｄは、０.４５Ｂと０.５５Ｂの間である。更なる実施例では、距離「Ｄ」は、約０.５０Ｂである。従って、２つのサーボ読取り素子が２つの異なるサーボ・バンド（例えば、サーボ・バンド３２７ａおよび３２７ｂ）を読取る実施例では、ヘッド・アセンブリ３２４が、いずれの隣接したサーボ・バンド（例えば、奇数サーボ・バンド３２７ｂ）とも異なる時間に偶数サーボ・バンド３２７ａに対するサーボ情報を出力するであろう。同様に、サーボ読取り素子３２５は、いずれの隣接したサーボ・バンド（例えば、サーボ・バンド３２７ａおよび３２７ｃ）とも異なる時間に奇数サーボ・バンド３２７ｂに対するサーボ情報を出力するであろう。従って、奇数サーボ・バンド（例えば、サーボ・バンド３２７ｂおよび３２７ｄ）における遷移ストライプの各バーストは、その奇数サーボ・バンドのサーボ情報が偶数サーボ・バンド（例えば、サーボ・バンド３２７ａ、３２７ｃ、および３２７ｅ）からのサーボ情報とインターリーブされるように、その偶数サーボ・バンドの遷移ストライプの各バーストから縦方向にシフトまたはオフセットされる。上記のパターンは、従来技術のパターンの場合の２倍のサンプリング率を提供する。
【００４９】
例えば、本実施例では、２ｍ／秒のテープ速度、５０μｍの距離「Ａ」、および１００μｍの距離「Ｂ」を仮定すると、サーボ読取り素子３２５および３２６は、奇数サーボ・バンド・パターンが偶数サーボ・パターンから縦方向に距離「Ｄ」（但し、０.４５Ｂ ≦Ｄ≦０.５５Ｂ）だけシフトされるので、毎秒４０,０００サンプルという率でサーボ情報を出力するであろう。
【００５０】
図３に説明を戻すと、サーボ・トラック３２７ａおよび３２７ｂがそれぞれサーボ読取り素子３２５および３２６を横切って移動するように、テープがヘッド・アセンブリ３２４を横切って縦方向に移動する。そのような移動が生じるとき、磁束遷移のサーボ・パターンがサーボ読取り素子３２５および３２６によって検知され、従って、それらのサーボ読取り素子は、２つのアナログ・サーボ読取り素子信号を各サーボ読取り素子３２５および３２６に対して１つ発生する。上記のように、本実施例では、各奇数サーボ・バンド（例えば、サーボ・バンド３２７ｂ）の各バーストの第１遷移ストライプが、偶数サーボ・バンド（例えば、サーボ・バンド３２７ａ）の各バーストの第１遷移ストライプから実質的に等しい距離「Ｄ」だけ縦方向にシフトされ、従って、奇数サーボ・バンド３２７ｂのサーボ情報が偶数サーボ・バンド３２７ａからの前述のサーボ情報とインターリーブされる。各サーボ読取り素子に対するアナログ・サーボ読取り素子信号がそれぞれサーボ信号線３８４および３９０を介して信号デコーダ３８６および３９２に供給される。その縦方向のシフトのために、偶数サーボ・バンド３２７ａおよび奇数サーボ・バンド３２７ｂに対するサーボ信号が異なる時間に発生され、それぞれの信号デコーダがサーボ読取り素子信号を別々に処理し、位置信号線３８８および３９４を介してサーボ・コントローラ３８０に送られる位置信号を発生する。サーボ・コントローラ３８０は、各サーボ・バンド（例えば、サーボ・バンド３２７ａおよび３２７ｂ）に対するサーボ制御信号を発生し、制御線３８２を介してヘッド・アセンブリ３２４におけるサーボ位置付け機構にそれを供給する。サーボ位置付け機構は、サーボ・コントローラ３８０からの制御信号に応答して、所望のサーボ・トラックに到達するように、またはサーボ・トラック中心線３５０に関してサーボ読取り素子３２５および３２６の中心を維持するように、サーボ読取り素子３２５および３２６を含むアセンブリを、各サーボ・バンド（例えば、サーボ・バンド３２７ａおよび３２７ｂ）に対するサーボ・トラック中心線３５０に関して横方向に移動させる。
【００５１】
サーボ・システム３８０のサーボ検知ロジックは、横方向に拡張した遷移（特に、異なる傾きを有し、磁気テープ３２０が縦方向で移動するとき複数個の横方向に隔てられたサーボ読取り素子３２５および３２６によって感知された遷移を含む遷移）の相対的なタイミングを、線３８２を介して供給された信号から検知するように構成される。サーボ検知ロジックは、感知された遷移の相対的なタイミングから、「Ａ」距離を決定するように、および、異なる傾きを有する横方向に伸びた遷移の少なくとも１つの既知のセットに関して、複数のサーボ読取り素子３２５および３２６と磁気テープとの間の関係に関する情報を決定するように、構成される。
【００５２】
磁気テープ駆動装置１００が図５および図６に示され、それは、例えば、磁気テープ・カートリッジ１０３から磁気テープ３２０にデータを読み書きするように構成される。磁気テープ駆動装置１００は、磁気テープ・カートリッジ１０３を受け取るように構成され、磁気テープ３２０は、磁気テープ・カートリッジからヘッド・アセンブリ３２４を通って卷取りリール１０５へのテープ・パスに沿って案内される。磁気テープ３２０は、テープ・パスに沿ってテープ・ガイド・ローラ１１０によって案内され得るし、その磁気テープが、例えば、駆動モータ１１５および１１６並びにサーボ駆動制御装置１２０を含む駆動システムによって磁気テープ・カートリッジ１０３および卷取りリール１０５の間を縦方向に移動するとき、テープ・ガイド・ローラによって横方向に抑制され得る。
【００５３】
磁気テープはテープ・ガイド・ローラ１１０によって横方向に抑制されるが、ヘッド・アセンブリ３２４では依然として多少の小さな横方向の動きが生じることがある。更に、磁気トラックは、磁気テープ上で多少の小さな横方向の動き生じることがある。サーボ・コントローラ３８０は、例えば、磁気テープ３２０のサーボ・トラックをトラック追従するために、上述の横方向位置に関する情報に従って、図３および４のサーボ読取り素子３２５および３２６並びに読取り・書込みヘッド３２８を含むヘッド・アセンブリ３２４を、磁気テープ３２０が横方向に移動させるように構成される。記録システム１３０は、磁気テープ３２０が図６の駆動システム１１５、１１６、１２０によって縦方向に移動するとき、磁気テープ３２０に関してデータを読み書きするように読取り・書込みヘッドを操作する。
【００５４】
サーボ駆動制御装置１２０は、磁気テープ３２０が一方のリールから巻き戻され、他方のリールに巻き付けられるとき、各リールにおけるテープの半径を常時変化させることによって、その磁気テープの縦方向の移動を比較的一定に維持すべく駆動モータ１１５および１１６を操作するように構成される。
【００５５】
磁気テープヘッド・アセンブリ３２４並びに駆動モータ１１５および１１６のサーボは、上述のようにタイミング・ベースのサーボの使用によって達成される。１つの例では、サーボ・システムは、磁気テープ３２０に関しての読取り及び／又は書込みヘッド３２８の横方向位置を制御するように構成され、サーボ・トラック３２７の横方向に拡張した遷移の横幅よりも小さい距離にわたって横方向に隔てられた図３および図４の複数個のサード読取り素子３２５および３２６を使用する。図６のサーボ検知ロジック１３５は、磁気テープが縦方向に移動するとき、横方向に隔てられたサーボ読取り素子によって感知された横方向に拡張した遷移の相対的なタイミングを検知するように構成される。サーボ・ロジック１４０は、上述したように、一方のサーボ読取り素子から検知された相対的タイミングと他方のサーボ読取り素子から検知された相対的タイミングとの間の差を使用して、磁気テープに関して複数個のサーボ読取り素子の少なくとも１つの横方向位置に関する情報を、異なる傾きを有する横方向に拡張した遷移の少なくとも１つの既知のセットに対する遷移の相対的タイミングから決定するように構成される。サーボ・コントローラ３８０は、横方向位置に関する情報に従って、サーボ読取り素子並びに読取り及び／又は書込みヘッドを磁気テープの横方向に移動させるように構成される。
【００５６】
上述したように、高いサンプリング率は、サーボ読取りヘッド素子位置に関する最新の正確な情報を提供し、従って、高いサーボ帯域幅および一層よく制御されたサーボ・システムをサポートする。磁気テープ３２０の速度が遅いデータ転送ホスト・システムに適合する（スピード・マッチングと呼ばれる）ように遅いとき、サンプリング率は更に遅くなり、その結果、高帯域幅システム・トラック追従システムを維持することができないほどまでサンプリング率が遅くなる。本実施例は、偶数サーボ・バンド（例えば、サーボ・バンド３２７ａ）を読取るサーボ読取り素子３２５からのサーボ情報と、奇数サーボ・バンド（例えば、サーボ・バンド３２７ｂ）を読取るサーボ読取り素子３２６からのサーボ情報との間の切り替えによって遅いサンプリング率を緩和する。
【００５７】
遷移ストライプが相互に縦方向に距離「Ｄ」だけシフトされているので、サーボ読取り素子３２５は、サーボ読取り素子３２６が距離「Ａ」に関する情報を出力する時とは異なる時間に距離「Ａ」に関するサーボ情報を出力する。サーボ読取り素子３２５は、サーボ読取り素子３２６が距離「Ｂ」に関する情報を出力する時とは異なる時間に距離「Ｂ」に関するサーボ情報を出力する。従って、奇数サーボ・バンドに関するサーボ素子３２６から得られたサーボ情報は、偶数サーボ・バンドに関するサーボ素子３２５から得られたサーボ情報と同時には提供されない。従って、奇数サーボ・バンドのサーボ情報が、偶数のサーボ・バンドからのサーボ情報とインターリーブされる。２つのサーボ読取り素子が２つの異なるサーボ・バンド（例えば、サーボ・バンド３２７ａおよび３２７ｂ）を読取るという実施例では、距離「Ｄ」は、０.４５Ｂと.０５５Ｂとの間にある。更なる実施例では、距離「Ｄ」は０.５０Ｂである。上記のパターンは、従来技術のパターンの２倍となるサンプリング率を提供する。
【００５８】
例えば、２ｍ／秒のテープ速度、５０μｍの距離「Ａ」、および１００μｍの距離「Ｂ」を仮定すると、サーボ読取り素子３２５および３２６は、毎秒２０,０００サンプルのサーボ情報を出力するであろう。しかし、本実施例では、２ｍ／秒のテープ速度、５０μｍの距離「Ａ」、および１００μｍの距離「Ｂ」という同じシステム・パラメータを仮定すると、奇数サーボ・バンド・パターンは、偶数サーボ・パターンから「Ｄ」の距離（０.４５Ｂ≦ Ｄ≦ ０.５５Ｂ）だけ縦方向にシフトされているので、サーボ読取り素子３２５および３２６は、毎秒４０,０００サンプルの割合のサーボ情報を出力するであろう。
【００５９】
従って、サーボ・コントローラ３８０は、磁気テープ３２０のサーボ・トラックをトラック追従するように１つのサーボ読取り素子（例えば、偶数サーボ・バンド３２７ａを読取るサーボ読取り素子３２５）の横方向位置に関する情報に従って、図３および図４のサーボ読取り素子３２５および３２６並びに読取りおよび／または書込みヘッド３２８を含むヘッド・アセンブリ３２４を磁気テープ３２０に関して横方向に移動させるように構成される。
【００６０】
図６のサーボ検知ロジック１３５は、磁気テープが縦方向に移動するとき、横方向に隔てられたサーボ読取り素子（例えば、偶数サーボ・バンド３２７ａを読取るサーボ読取り素子３２５）によって第１時間に感知された少なくとも２つの横方向に拡張した遷移の相対的なタイミングを検知するように構成される。サーボ・ロジック１４０は、磁気テープに関するサーボ読取り素子（例えば、偶数サーボ・バンド３２７ａを読取るサーボ読取り素子３２５）の横方向位置に関する情報を、異なる傾きを有する横方向に拡張した遷移の少なくとも１つの既知のセットに対する遷移の相対的なタイミングから決定するように構成される。サーボ・コントローラ３８０は、サーボ読取り素子からの横方向位置に関する情報に従ってサーボ読取り素子並びに読取りおよび書込みヘッドを磁気テープの横方向に移動させるように構成される。
【００６１】
しかる後、サーボ・コントローラ３８０は、図３および図４のサーボ読取り素子３２５および３２６並びに読取りおよび／または書込みヘッド３２８を含むヘッド・アセンブリ３２４を、他のサーボ読取り素子（例えば、奇数サーボ・バンド３２７ｂを読取るサーボ読取り素子３２６）の横方向位置に関する情報に従って、磁気テープ３２０に関して横方向に移動させるように構成される。
【００６２】
図６のサーボ検知ロジック１３５は、磁気テープが縦方向に移動するときの第２時間に、横方向に隔てられたサーボ読取り素子（例えば、奇数サーボ・バンド３２７ｂを読取るサーボ読取り素子３２６）によって感知された少なくとも２つの横方向に拡張した遷移の相対的タイミングを検知するように構成される。第１時間と第２時間との間の時間遅れは距離Ｄに対応する。１つの実施例では、第１時間と第２時間との間の時間遅れは、距離Ｄと磁気テープ３２０の速度との積である。
【００６３】
サーボ・ロジック１４０は、種々の傾きを有する横方向に拡張した遷移の少なくとも１つの既知のセットに対する遷移の相対的なタイミングから、磁気テープに関するサーボ読取り素子（例えば、奇数サーボ・バンド３２７ａを読取るサーボ読取り素子３２６）に関連した情報を決定するように構成される。サーボ・コントローラ３８０は、サーボ読取り素子３２６からの横方向位置に関する情報に従って、サーボ読取り素子並びに読取りおよび／または書込みヘッドを磁気テープの横方向に移動させるように構成される。
【００６４】
サーボ読取り素子並びに読取りおよび／または書込みヘッドの横方向位置を決定するために偶数サーボ・バンドからのサーボ情報を活用すること、およびサーボ読取り素子並びに読取りおよび／または書込みヘッドの横方向位置を決定するために奇数バンドからのサーボ情報を活用することを説明したが、そのサーボ情報が奇数サーボ・バンドおよび偶数サーボ・バンドから交互に提供されてもよい、ということは当業者には明らかであろう。例えば、奇数サーボ・バンドからのサーボ情報が、サーボ読取り素子並びに読取りおよび／または書込みヘッドの横方向位置を決定するために活用され、それに続いて、偶数サーボ・バンドからのサーボ情報が、サーボ読取り素子並びに読取りおよび／または書込みヘッドの横方向位置を決定するために活用されてもよい。
【００６５】
上記の実施例は、２つのサーボ読取り素子を含むヘッド・アセンブリを説明したが、ヘッド・アセンブリは任意の数のサーボ素子を含み得る。例えば、別の実施例では、ヘッド・アセンブリ３２４は３個のサーボ読取り素子を含む。従って、１つのサーボ・バンド内の遷移ストライプの各バーストが、前のサーボ・バンドの遷移ストライプのバーストから実質的に等しい距離「Ｄ」だけシフト又はオフセットされる。３個のサーボ読取り素子が利用される実施例では、距離「Ｄ」は、上記の式（２）によって表されるように、０.３０Ｂと０３７Ｂとの間である。更なる実施例では、距離「Ｄ」は約０.３３Ｂである。
【００６６】
例えば、サーボ・バンド３２７ｂの遷移ストライプの各バーストは、サーボ・バンド３２７ａの遷移ストライプの各バーストから約０.３３Ｂの距離「Ｄ」を縦方向にシフトされるであろう。同様に、サーボ・バンド３２７ｃの遷移ストライプの各バーストは、サーボ・バンド３２７ｂの遷移ストライプの各バーストから約０.３３Ｂの距離「Ｄ」の距離を縦方向にシフトされるであろう。更に、サーボ・バンド３２７ｄの遷移ストライプの各バーストは、そのサーボ・バンド３２７ｄの遷移ストライプがサーボ・バンド３２７ａの遷移ストライプに揃えられるように、サーボ・バンド３２７ｃの遷移ストライプの各バーストから約０.３３Ｂの距離「Ｄ」を縦方向にシフトされるであろう。最後に、サーボ・バンド３２７ｅの遷移ストライプの各バーストは、そのサーボ・バンド３２７ｅの遷移ストライプがサーボ・バンド３２７ｂの遷移ストライプに揃えられるように、サーボ・バンド３２７ｄの遷移ストライプの各バーストから約０.３３Ｂの距離「Ｄ」を縦方向にシフトされるであろう。
【００６７】
図３および図４に関連して上記したものと同様に、遷移ストライプが相互に縦方向に距離「Ｄ」だけシフトされるので、サーボ読取り素子の各々は、どの隣接したサーボ・バンドとも異なる時間に距離「Ａ」および「Ｂ」に関するサーボ情報を出力する。例えば、３個のサーボ読取り素子が３個の異なるサーボ・バンド（例えば、サーボ・バンド３２７ａ、３２７ｂ、および３２７ｃ）を読取るという実施例では、奇数サーボ・バンドのサーボ情報が偶数サーボ・バンドからのサーボ情報とインターリーブされるように、特に、或るサーボ・バンドのサーボ情報が任意の隣接したサーボ・バンドからのサーボ情報とインターリーブされるように、ヘッド・アセンブリ３２４（図示されてない３個のサーボ・ヘッドを備えた）が、任意の隣接したサーボ・バンド（例えば、サーボ・バンド３２７ａおよび３２７ｃ）とは異なる時間にサーボ・バンド３２７ｂに対するサーボ情報を出力するであろう。上記のパターンは、従来技術によるパターンの３倍のサンプリング率を提供する。
【００６８】
例えば、本実施例では、２ｍ／秒のテープ速度、５０μｍの距離「Ａ」、および１００μｍの距離「Ｂ」を仮定すると、サーボ読取り素子３２５および３２６は、前のサーボ・バンドの遷移ストライプのバーストから実質的に等しい距離「Ｄ」（この場合、０.３０Ｂ≦ Ｄ≦０.３７Ｂ）をシフト又はオフセットされているので、毎秒６０,０００サンプルの率でサーボ情報を出力するであろう。
【００６９】
上記の記述は磁気テープに記録された磁気遷移ストライプについて説明したものであるが、サーボ・バンド３２７が当業者にとって周知のいくつかもタイプの縦方向のサーボ・パターンを含み得る、ということは当業者には明らかであろう。
【００７０】
本実施例は、サーボ・バンド３２７ａ、３２７ｃ、および３２７ｅを偶数サーボ・バンドとして、並びにサーボ・バンド３２７ｂおよび３２７ｄを奇数サーボ・バンドとして説明したが、サーボ・バンド３２７ａ、３２７ｃ、および３２７ｅが奇数サーボ・バンドとして、並びにサーボ・バンド３２７ｂおよび３２７ｄが偶数サーボ・バンドとして定義されてもよい、ということは当然である。むしろ、１つのサーボ・バンド内の遷移ストライプの各バーストが任意の隣接したサーボ・バンドの遷移ストライプの各バーストから実質的に等しい距離「Ｄ」だけ縦方向にシフト又はオフセットされる、ということが重要である。
【００７１】
更に、本実施例は５個のサーボ・バンドおよび４個のデータ・バンドを有する磁気テープ３２０を説明したが、本実施例は複数のサーボ・バンドを有する任意の磁気テープにおいて実施され得る。
【００７２】
上記のロジックは、当業者には既知の任意の適切なロジック構成を含み得る。更に、本明細書に示されたされたものとは異なる特定の要素構成が使用されてもよいということも当業者には明らかであろう。
【００７３】
本発明の特定の実施例を開示および説明したが、本明細書における教示事項に基づいて、本発明およびその広範な側面から逸脱することなく、変更および修正を施し得る、ということは当業者には明らかであろう。従って、「特許請求の範囲」の各項は、本発明の趣旨および技術的範囲内にあるすべての変更および修正を包含するものである。更に、本発明は「特許請求の範囲」の各項によって単独に定義されるということも当然である。
【図１】
2011511994.tif 000003
【図２】
2011511994.tif 000004
【図３】
2011511994.tif 000005
【図４】
2011511994.tif 000006
【図５】
2011511994.tif 000007
【図６】
2011511994.tif 000008
【手続補正書】
【提出日】平成22年9月16日(2010.9.16)
【手続補正１】
【補正対象書類名】特許請求の範囲
【補正対象項目名】全文
【補正方法】変更
【補正の内容】
【特許請求の範囲】
【請求項１】
磁気テープ媒体上のサーボ・パターンの遷移ストライプを検知するために、少なくとも第１サーボ読取り素子および第２サーボ読取り素子を含む複数個のサーボ読取り素子を含むヘッド・アセンブリであって、前記サーボ・パターンは複数個の縦方向のデータ・バンド間にある複数個の並行した縦方向のサーボ・バンドを含み、前記複数個のサーボ・バンドは奇数サーボ・バンドおよび偶数サーボ・バンドを含み、前記奇数サーボ・バンドの各々は前記偶数サーボ・バンドの各々の間にあり、各サーボ・バンドは複数個のフレームを含み、各フレームは遷移ストライプの複数個のバーストを含み、各バーストは第１遷移ストライプを有し、前記奇数サーボ・バンドの各々の各バーストの第１遷移ストライプは前記奇数サーボ・バンドのサーボ情報が前記偶数サーボ・バンドからのサーボ情報とインターリーブされるように前記偶数サーボ・バンドの各々の各バーストの第１遷移ストライプから実質的に等しい距離Ｄだけ縦方向にシフトされ、前記第１サーボ読取り素子は前記磁気テープ媒体上の前記偶数サーボ・バンドの少なくとも２つの遷移ストライプを第１時間に検知するように構成される、前記ヘッド・アセンブリと、
前記磁気テープ媒体上の前記偶数サーボ・バンドの前記少なくとも２つの遷移ストライプのタイミングを検知するように構成されたサーボ検知ロジックと、
前記磁気テープ媒体上の前記偶数サーボ・バンドの前記少なくとも２つの遷移ストライプの前記タイミングに応答して、前記磁気テープ媒体に関して横方向に前記ヘッド・アセンブリを位置付けるように構成されたサーボ・コントローラと
を含み、
前記第２読取り素子は前記磁気テープ媒体上の前記奇数サーボ・バンドの少なくとも２つの遷移ストライプを第２時間に検知するように構成され、前記第２時間は前記距離Ｄに対応する前記第１時間後の時間遅れであり、前記サーボ検知ロジックは更に前記磁気テープ媒体上の前記奇数サーボ・バンドの前記少なくとも２つの遷移ストライプのタイミングを検知するように構成され、前記サーボ・コントローラは更に前記磁気テープ媒体上の前記奇数サーボ・バンドの前記少なくとも２つの遷移ストライプの前記タイミングに応答して前記磁気テープ媒体に関して横方向に前記ヘッド・アセンブリを位置付けるように構成される、磁気テープ駆動装置。
【請求項２】
前記複数個のサーボ読取り素子は更に前記サーボ・パターンの前記遷移ストライプを検知するように構成され、前記複数個のフレームの各フレームは更に第１方位における遷移ストライプの第１バースト、前記第１方位とは異なる第２方位における遷移ストライプの第２バースト、前記第１方位における遷移ストライプの第３バースト、および前記第２方位における遷移ストライプの第４バーストを含み、前記第１バーストの前記第１遷移ストライプと前記第３バーストの第１遷移ストライプとの間の距離は距離Ｂである、請求項１に記載の磁気テープ駆動装置。
【請求項３】
前記複数個のサーボ読取り素子は前記サーボ・パターンの前記遷移ストライプを検知するように構成され、前記奇数サーボ・バンドの各々の各バーストの前記第１遷移ストライプは前記偶数サーボ・バンドの各々の各バーストの前記第１遷移ストライプから縦方向に前記実質的に等しい距離Ｄだけシフトされ、前記距離Ｄは
０.９Ｂ/Ｘ≦Ｄ≦１.１Ｂ/Ｘ
であり、前記Ｘは前記複数のサーボ読取り素子を構成するサーボ読取り素子の数として定義される、請求項２に記載の磁気テープ駆動装置。
【請求項４】
前記磁気テープ駆動装置は、前記距離Ｄが０.４５Ｂ≦Ｄ≦０.５５Ｂになるように２つのサーボ読取り素子を含む、請求項３に記載の磁気テープ駆動装置。
【請求項５】
前記磁気テープ駆動装置は、前記距離Ｄが０.３０Ｂ≦Ｄ≦０.３７Ｂになるように３つのサーボ読取り素子を含む、請求項３に記載の磁気テープ駆動装置。
【請求項６】
前記距離Ｄは０.４５Ｂ≦Ｄ≦０.５５Ｂである、請求項２に記載の磁気テープ駆動装置。
【請求項７】
前記距離Ｄは０.３０Ｂ≦Ｄ≦０.３７Ｂである、請求項２に記載の磁気テープ駆動装置。
【請求項８】
前記距離Ｄは約０.５０Ｂである、請求項２に記載の磁気テープ駆動装置。
【請求項９】
前記距離Ｄは約０.３３Ｂである、請求項２に記載の磁気テープ駆動装置。
【請求項１０】
前記磁気テープ駆動装置は前記磁気テープ媒体を前記ヘッド・アセンブリに関して縦方向に移動させるように構成された駆動システムを含む、請求項１に記載の磁気テープ駆動装置。
【請求項１１】
前記ヘッド・アセンブリは前記磁気テープ媒体上のデータを読取りおよび前記磁気テープ媒体上にデータを書込むように構成された磁気読取り／書込みテープ・ヘッドを更に含む、請求項１に記載の磁気テープ駆動装置。
【請求項１２】
前記第１サーボ読取り素子および前記第２サーボ読取り素子は横方向に隔てられている、請求項１に記載の磁気テープ駆動装置。
【請求項１３】
前記時間遅れは前記距離Ｄと前記磁気テープ媒体の速度との積である、請求項１に記載の磁気テープ駆動装置。
【請求項１４】
前記複数個の読取り素子は、更に、前記サーボ・パターンの前記遷移ストライプを検知するように構成され、前記フレームは、更に、第１方位における５個の遷移ストライプのグループの第１バースト、前記第１方位とは異なる第２方位における５個の遷移ストライプのグループの第２バースト、前記第１方位における４個の遷移ストライプのグループの第３バースト、および前記第２方位における４個の遷移ストライプのグループの第４バーストを含む、請求項１に記載の磁気テープ駆動装置。
【請求項１５】
前記第２方位は前記第１方位の反対の方位である、請求項２に記載の磁気テープ駆動装置。
【請求項１６】
少なくとも第１サーボ読取り素子および第２サーボ読取り素子を含むヘッド・アセンブリに関して縦方向に磁気テープ媒体を移動させるステップと、
前記磁気テープ上のサーボ・パターンの遷移ストライプを検知するステップであって、前記サーボ・パターンは複数個の縦方向のデータ・バンドの間にある複数個の並行した縦方向のサーボ・バンドを含み、前記サーボ・パターンは複数個の縦方向のデータ・バンド間にある複数個の並行した縦方向のサーボ・バンドを含み、前記複数個のサーボ・バンドは奇数サーボ・バンドおよび偶数サーボ・バンドを含み、前記奇数サーボ・バンドの各々は前記偶数サーボ・バンドの各々の間にあり、各サーボ・バンドは複数個のフレームを含み、各フレームは遷移ストライプの複数個のバーストを含み、各バーストは第１遷移ストライプを有し、前記奇数サーボ・バンドの各々の各バーストの第１遷移ストライプは前記奇数サーボ・バンドのサーボ情報が前記偶数サーボ・バンドからのサーボ情報とインターリーブされるように前記偶数サーボ・バンドの各々の各バーストの第１遷移ストライプから実質的に等しい距離Ｄだけ縦方向にシフトされる、ステップと、
前記第１サーボ読取り素子を用いて前記磁気テープ媒体上の前記偶数サーボ・バンドの少なくとも２つの遷移ストライプを第１時間に検知するステップと
前記磁気テープ媒体上の前記偶数サーボ・バンドの前記少なくとも２つの遷移ストライプのタイミングを検知するステップと、
前記磁気テープ媒体上の前記偶数サーボ・バンドの前記少なくとも２つの遷移ストライプの前記タイミングに応答して、前記磁気テープ媒体に関して横方向に前記ヘッド・アセンブリを位置付けるステップと、
前記磁気テープ媒体上の前記奇数サーボ・バンドの少なくとも２つの遷移ストライプを第２時間に検知するステップであって、前記第２時間は前記距離Ｄに対応する前記第１時間後の時間遅れである、ステップと、
更に前記磁気テープ媒体上の前記奇数サーボ・バンドの前記少なくとも２つの遷移ストライプのタイミングを検知するステップと、
更に前記磁気テープ媒体上の前記奇数サーボ・バンドの前記少なくとも２つの遷移ストライプの前記タイミングに応答して前記磁気テープ媒体に関して横方向に前記ヘッド・アセンブリを位置付けるステップと
を含む、方法。
【請求項１７】
前記サーボ・パターンの前記遷移ストライプを検知するステップを更に含み、前記複数個のフレームの各フレームは更に第１方位における遷移ストライプの第１バースト、前記第１方位とは異なる第２方位における遷移ストライプの第２バースト、前記第１方位における遷移ストライプの第３バースト、および前記第２方位における遷移ストライプの第４バーストを含み、前記第１バーストの前記第１遷移ストライプと前記第３バーストの第１遷移ストライプとの間の距離は距離Ｂである、請求項１６に記載の方法。
【請求項１８】
前記サーボ・パターンの前記遷移ストライプを検知するステップであって、前記奇数サーボ・バンドの各々の各バーストの前記第１遷移ストライプは前記偶数サーボ・バンドの各々の各バーストの前記第１遷移ストライプから縦方向に前記実質的に等しい距離Ｄだけシフトされ、前記距離Ｄは
０.９Ｂ／Ｘ≦Ｄ≦１.１Ｂ／Ｘ
であり、前記Ｘは前記複数のサーボ読取り素子を構成するサーボ読取り素子の数として定義される、請求項１７に記載の方法。
【請求項１９】
前記距離Ｄは０.４５Ｂ≦Ｄ≦０.５５Ｂである、請求項１７に記載の方法。
【請求項２０】
前記距離Ｄは０.３０Ｂ≦Ｄ≦０.３７Ｂである、請求項１７に記載の方法。
【請求項２１】
前記距離Ｄは約０.５０Ｂである、請求項１７に記載の方法。
【請求項２２】
前記距離Ｄは約０.３３Ｂである、請求項１７に記載の方法。
【請求項２３】
前記時間遅れは前記距離Ｄと前記磁気テープ媒体の速度との積である、請求項１６に記載の方法。
【請求項２４】
前記サーボ・パターンの前記遷移ストライプを検知するステップを更に含み、前記フレームは第１方位における５個の遷移ストライプのグループの第１バースト、前記第１方位とは異なる第２方位における５個の遷移ストライプのグループの第２バースト、前記第１方位における４個の遷移ストライプのグループの第３バースト、および前記第２方位における４個の遷移ストライプのグループの第４バーストを更に含む、請求項１６に記載の方法。
【請求項２５】
前記第２方位は前記第１方位の反対の方位である、請求項１７に記載の方法。
【国際調査報告】
2011511994.tif 000009
2011511994.tif 000010
2011511994.tif 000011